【手続補正書】
【提出日】平成17年2月2日(2005.2.2)
【手続補正１】
【補正対象書類名】明細書
【補正対象項目名】特許請求の範囲
【補正方法】変更
【補正の内容】
【特許請求の範囲】
【請求項１】
耐摩耗燃料組成物であって、
α）ディーゼル燃料と、および
β）成分ａ）、ｂ）およびｃ）を反応させることによって得られる少なくとも１種の生成物であって、成分ａ）は次式Ｉ
【化１】
1998219263.tif 000001
［式中、
基Ｙは互いに独立してＯＨ、（ＨＯＣＨ2ＣＨ2）2Ｎ−または−ＨＮＲ1を表し、また
Ｒ1は水素原子、炭素原子数１ないし１８のアルキル基、炭素原子数５ないし１２のシクロアルキル基、次式
【化２】
1998219263.tif 000002
（式中、Ｒ2は水素原子、炭素原子数１ないし８のアルキル基、Ｏ・、ＯＨ、ＮＯ、−ＣＨ2ＣＮ、炭素原子数１ないし１８のアルコキシ基、炭素原子数５ないし１２のシクロアルコキシ基、炭素原子数３ないし６のアルケニル基、炭素原子数７ないし９のフェニルアルキル基または炭素原子数１ないし４のアルキル基によってフェニル環について一−、二−または三置換された炭素原子数７ないし９のフェニルアルキル基を表すか、またはＲ2はさらに炭素原子数１ないし８のアシル基またはＨＯＣＨ2ＣＨ2−を表す。）で表される基、炭素原子数３ないし６のアルケニル基、炭素原子数７ないし９のフェニルアルキル基、フェニル基、または１ないし３個の基Ａ1によって置換されたフェニル基を表し、基Ａ1は互いに独立して炭素原子数１ないし１２のアルキル基、ハロゲン原子、ヒドロキシル基、メトキシ基またはエトキシ基を表し、またａは１、２、３、４または６の数を表し、ここで、
ＹがＯＨを表しかつａが１を表す場合、
Ｘは炭素原子数１ないし４５のアルキル基、炭素原子数３ないし１８のアルケニル基、次式
【化３】
1998219263.tif 000003
（式中、Ｒ2は上記で定義されたものを表し、
Ｔ1は酸素原子、硫黄原子または次式
【化４】
1998219263.tif 000004
で表される基を表し、
Ｒ4は炭素原子数１ないし２０のアルキル基を表し、
ｂは０ないし１０の範囲の整数を表し、また
Ｒ5は水素原子、炭素原子数１ないし１８のアルキル基またはフェニル基を表す。）で表される基を表し、または、
ＹがＯＨを表しかつａが２を表す場合、
Ｘは次式
【化５】
1998219263.tif 000005
（式中、ｂは上記で定義されたものを表し、
Ｔ2は酸素原子、硫黄原子、次式
【化６】
1998219263.tif 000006
で表される基を表し、
Ｒ5は上記で定義されたものを表し、
Ｒ6は水素原子、炭素原子数１ないし１８のアルキル基またはフェニル基を表し、
ｃは２ないし１０の範囲の整数を表し、
ｄは２ないし６の範囲の整数を表し、また
Ｒ7およびＲ8は互いに独立して水素原子、炭素原子数１ないし１８のアルキル基またはフェニル基を表すか、またはＲ7およびＲ8はそれらが結合されたＣ原子と一緒になって炭素原子数５ないし１２のシクロアルキル環を形成する。）で表される基を表し、または、
ａが３を表す場合、
Ｘは炭素原子数３ないし１０のアルカントリイル基またはＮ（ＣＨ2ＣＨ2−）3を表し、または、
ＹがＯＨを表しかつａが４を表す場合、
Ｘは炭素原子数４ないし１０のアルカンテトライル基、次式
【化７】
1998219263.tif 000007
（式中、Ｒ9は炭素原子数１ないし４のアルキル基を表す。）で表される基を表し、または、
ＹがＯＨを表しかつａが６を表す場合、
Ｘは次式
【化８】
1998219263.tif 000008
で表される基または炭素原子数６ないし１０のアルカンヘキサイル基を表し、または、
Ｙが−ＨＮＲ1を表しかつａが１を表す場合、
Ｘは炭素原子数１ないし１８のアルキル基、炭素原子数３ないし１８のアルケニル基、炭素原子数５ないし１２のシクロアルキル基、炭素原子数７ないし９のフェニルアルキル基、フェニル基または次式
【化９】
1998219263.tif 000009
（式中、Ｒ2は上記で定義されたものを表す。）で表される基を表すか、またはＸはさらに次式
【化１０】
1998219263.tif 000010
（式中、Ｒ10は水素原子またはメチル基を表し、また
ｅは２または３を表す。）で表される基を表すか、またはＸはＲ1と一緒になって次式−ＣＨ2ＣＨ2ＣＨ2ＣＨ2ＣＨ2−または−ＣＨ2ＣＨ2ＯＣＨ2ＣＨ2−で表される基を表し、または、
Ｙが−ＨＮＲ1を表しかつａが２を表す場合、
Ｘは次式
【化１１】
1998219263.tif 000011
（式中、ｆは２ないし１０の範囲の整数を表し、また
ｇは１ないし６の範囲の整数を表す。）で表される基を表す。］で表される化合物または式Ｉで表される化合物の混合物であり、成分ｂ）は次式ＩＩ
【化１２】
1998219263.tif 000012
［式中、
基Ｚは水素原子または次式
【化１３】
1998219263.tif 000013
（式中、ｈは２または３を表し、
ｉは０ないし１２の範囲の整数を表し、また
Ｒ11は炭素原子数１ないし３０のアルキル基、炭素原子数８ないし３０のアルケニル基、炭素原子数５ないし１２のシクロアルキル基、フェニル基または炭素原子数７ないし９のフェニルアルキル基を表す。）で表される基を表し、また
ｋは０ないし６の範囲の整数を表し、但し、式ＩＩで表される化合物は次式
【化１４】
1998219263.tif 000014
で表される基を有する。］で表される化合物または式ＩＩで表される化合物の混合物であり、また成分ｃ）は次式ＩＩＩ
【化１５】
1998219263.tif 000015
［式中、
Ｒ12は炭素原子数１ないし１８のアルキル基、炭素原子数５ないし１２のシクロアルキル基、フェニル基または炭素原子数７ないし９のフェニルアルキル基を表し、
Ｒ15は水素原子、炭素原子数１ないし１８のアルキル基、炭素原子数５ないし１２のシクロアルキル基、フェニル基または炭素原子数７ないし９のフェニルアルキル基を表し、
ｓは０、１または２を表し、
Ｑは次式
【化１６】
1998219263.tif 000016
（式中、Ｒ15は上記で定義されたものを表し、
ｍは０ないし３の範囲の整数を表し、また
Ｒ16は炭素原子数１ないし８のアルキル基を表す。）で表される基を表し、また
ｎは１ないし６の範囲の整数を表し、ここで、
ｎが１を表す場合、
Ｒ17は水素原子、炭素原子数１ないし４５のアルキル基、炭素原子数５ないし１２のシクロアルキル基、炭素原子数２ないし１８のアルケニル基、ヘキソースの一価基、ヘキシトールの一価基、次式
【化１７】
1998219263.tif 000017
（式中、Ｒ2は上記で定義されたものを表す。）で表される基を表すか、またはさらにＲ17は次式
【化１８】
1998219263.tif 000018
（式中、Ｔ3は酸素原子、硫黄原子または次式
【化１９】
1998219263.tif 000019
で表される基を表し、
Ｒ19は次式
【化２０】
1998219263.tif 000020
で表される基を表し、ここでＲ12およびＲ15は上記で定義されたものを表すか、またはＲ19はさらに水素原子、炭素原子数１ないし２４のアルキル基、フェニル基、炭素原子数５ないし１２のシクロアルキル基または次式
【化２１】
1998219263.tif 000021
で表される基を表し、
ｐは２ないし４の範囲の整数を表し、
ｑは２ないし２０の範囲の整数を表し、
Ｒ22は炭素原子数１ないし１８のアルキル基、フェニル基または１ないし３個の基Ａ1によって置換されたフェニル基を表し、ここで基Ａ1は互いに独立して炭素原子数１ないし１２のアルキル基、ハロゲン原子、ヒドロキシル基、メトキシ基またはエトキシ基を表すか、またはＲ22はさらに炭素原子数５ないし８のシクロアルキル基を表し、
Ｒ23およびＲ24は互いに独立して水素原子またはメチル基を表し、但し、Ｒ23およびＲ24は同時にはメチル基を表さず、また
Ｒ25は水素原子または炭素原子数１ないし２４のアルキル基を表す。）で表される基を表し、または、
ｎが２を表す場合、
Ｒ17はヘキソースの二価基、ヘキシトールの二価基、次式
【化２２】
1998219263.tif 000022
（式中、ｐおよびｑは上記で定義されたものを表し、
Ｒ18およびＲ20は互いに独立して水素原子または炭素原子数１ないし１２のアルキル基を表すか、または一緒になって次式−ＣＨ2ＣＨ2ＣＨ2ＣＨ2ＣＨ2−で表される基を表し、
ｒは２ないし１０の範囲の整数を表し、
Ｔ4は硫黄原子、次式
【化２３】
1998219263.tif 000023
で表される基を表し、
Ｒ7およびＲ8は上記で定義されたものを表し、
Ｒ26は水素原子、炭素原子数１ないし１８のアルキル基、フェニル基または１ないし３個の基Ａ1によって置換されたフェニル基を表し、ここで基Ａ1は式Ｉにおいて上記で定義されたものを表すか、またはＲ26はさらに炭素原子数５ないし８のシクロアルキル基または次式
【化２４】
1998219263.tif 000024
で表される基を表し、また
Ｒ2は上記で定義されたものを表す。）で表される基を表し、または、
ｎが３を表す場合、
Ｒ17はヘキソースの三価基、ヘキシトールの三価基、次式
【化２５】
1998219263.tif 000025
（式中、Ｒ27は水素原子、ＣＨ2ＯＨ、炭素原子数１ないし４のアルキル基、炭素原子数１ないし１８のアルキルアミド基または次式
【化２６】
1998219263.tif 000026
で表される基を表し、また
Ｑ、Ｒ12およびＲ15は上記で定義されたものを表す。）で表される基を表し、または、
ｎが４を表す場合、
Ｒ17はヘキソースの四価基、ヘキシトールの四価基、炭素原子数４ないし１０のアルカンテトライル基、次式
【化２７】
1998219263.tif 000027
で表される基を表し、または、
ｎが５を表す場合、
Ｒ17はヘキソースの五価基またはヘキシトールの五価基を表し、または、
ｎが６を表す場合、
Ｒ17はヘキシトールの六価基または次式
【化２８】
1998219263.tif 000028
で表される基を表す。］で表される化合物または式ＩＩＩで表される化合物の混合物であるところの生成物とからなる組成物。
【請求項２】
式ＩＩＩで表される化合物において、ｓは１または２の数を表す、請求項１に記載の組成物。
【請求項３】
式Ｉで表される化合物において、
基Ｙは互いに独立してＯＨ、（ＨＯＣＨ2ＣＨ2）2Ｎ−または−ＨＮＲ1を表し、また
Ｒ1は水素原子、炭素原子数１ないし１０のアルキル基、炭素原子数５ないし７のシクロアルキル基、次式
【化２９】
1998219263.tif 000029
（式中、Ｒ2は水素原子、炭素原子数１ないし４のアルキル基、ＯＨ、−ＣＨ2ＣＮ、炭素原子数６ないし１２のアルコキシ基、炭素原子数５ないし８のシクロアルコキシ基、アリル基、ベンジル基、アセチル基またはＨＯＣＨ2ＣＨ2−を表す。）で表される基、炭素原子数３ないし６のアルケニル基、ベンジル基またはフェニル基を表し、また
ａは１、２、３、４または６の数を表し、ここで、
ＹがＯＨを表しかつａが１を表す場合、
Ｘは炭素原子数１ないし３０のアルキル基、炭素原子数３ないし１８のアルケニル基、次式
【化３０】
1998219263.tif 000030
（式中、Ｒ2は上記で定義されたものを表し、
Ｔ1は酸素原子、硫黄原子または次式
【化３１】
1998219263.tif 000031
で表される基を表し、
Ｒ4は炭素原子数１ないし１０のアルキル基を表し、
ｂは０ないし１０の範囲の整数を表し、また
Ｒ5は水素原子、炭素原子数１ないし１０のアルキル基またはフェニル基を表す。）で表される基を表し、または、
ＹがＯＨを表しかつａが２を表す場合、
Ｘは次式
【化３２】
1998219263.tif 000032
（式中、ｂは上記で定義されたものを表し、
Ｔ2は酸素原子、硫黄原子、次式
【化３３】
1998219263.tif 000033
で表される基を表し、
Ｒ5は上記で定義されたものを表し、
Ｒ6は水素原子、炭素原子数１ないし１０のアルキル基またはフェニル基を表し、
ｃは２ないし１０の範囲の整数を表し、
ｄは２ないし６の範囲の整数を表し、また
Ｒ7およびＲ8は互いに独立して水素原子、炭素原子数１ないし１０のアルキル基またはフェニル基を表すか、またはＲ7およびＲ8はそれらが結合されたＣ原子と一緒になって炭素原子数５ないし７のシクロアルキル環を形成する。）で表される基を表し、または、
Ｙが−ＨＮＲ1を表しかつａが１を表す場合、
Ｘは炭素原子数１ないし１０のアルキル基、炭素原子数３ないし１８のアルケニル基、炭素原子数５ないし７のシクロアルキル基、ベンジル基、フェニル基または次式
【化３４】
1998219263.tif 000034
（式中、Ｒ2は上記で定義されたものを表す。）で表される基を表すか、またはＸはさらに次式
【化３５】
1998219263.tif 000035
（式中、Ｒ10は水素原子またはメチル基を表し、また
ｅは２または３を表す。）で表される基を表すか、またはＸはＲ1と一緒になって次式−ＣＨ2ＣＨ2ＣＨ2ＣＨ2ＣＨ2−または−ＣＨ2ＣＨ2ＯＣＨ2ＣＨ2−で表される基を表し、また、
式ＩＩで表される化合物において、
基Ｚは水素原子または次式
【化３６】
1998219263.tif 000036
（式中、ｈは２または３を表し、
ｉは０ないし６の範囲の整数を表し、また
Ｒ11は炭素原子数１ないし２０のアルキル基、炭素原子数８ないし２０のアルケニル基、炭素原子数５ないし７のシクロアルキル基、フェニル基またはベンジル基を表す。）で表される基を表し、また
ｋは０ないし４の範囲の整数を表し、但し、式ＩＩで表される化合物は次式
【化３７】
1998219263.tif 000037
で表される基を含み、また、
式ＩＩＩで表される化合物において、
Ｒ12は炭素原子数１ないし６のアルキル基、炭素原子数５ないし７のシクロアルキル基、フェニル基またはベンジル基を表し、
Ｒ15は水素原子、炭素原子数１ないし６のアルキル基、炭素原子数５ないし７のシクロアルキル基、フェニル基またはベンジル基を表し、
ｓは１または２を表し、Ｑは次式
【化３８】
1998219263.tif 000038
（式中、Ｒ15は上記で定義されたものを表し、
ｍは０ないし３の範囲の整数を表し、また
Ｒ16は炭素原子数１ないし４のアルキル基を表す。）で表される基を表し、また
ｎは１ないし６の範囲の整数を表し、ここで、
ｎが１を表す場合、
Ｒ17は水素原子、炭素原子数１ないし３０のアルキル基、炭素原子数５ないし７のシクロアルキル基、炭素原子数２ないし１８のアルケニル基、ヘキソースの一価基、ヘキシトー
ルの一価基、次式
【化３９】
1998219263.tif 000039
（式中、Ｒ2は上記で定義されたものを表す。）で表される基を表すか、またはさらにＲ17は次式
【化４０】
1998219263.tif 000040
（式中、Ｔ3は酸素原子、硫黄原子または次式
【化４１】
1998219263.tif 000041
で表される基を表し、
Ｒ19は次式
【化４２】
1998219263.tif 000042
で表される基を表し、ここでＲ12およびＲ15は上記で定義されたものを表すか、またはＲ19はさらに水素原子、炭素原子数１ないし１８のアルキル基、フェニル基、炭素原子数５ないし７のシクロアルキル基または次式
【化４３】
1998219263.tif 000043
で表される基を表し、
ｐは２ないし４の範囲の整数を表し、
ｑは２ないし２０の範囲の整数を表し、
Ｒ22は炭素原子数１ないし１０のアルキル基、フェニル基または炭素原子数５ないし８のシクロアルキル基を表し、
Ｒ23およびＲ24は互いに独立して水素原子またはメチル基を表し、但し、Ｒ23およびＲ24は同時にはメチル基を表さず、また
Ｒ25は水素原子または炭素原子数１ないし１８のアルキル基を表す。）で表される基を表し、または、
ｎが２を表す場合、
Ｒ17はヘキソースの二価基、ヘキシトールの二価基、次式
【化４４】
1998219263.tif 000044
（式中、ｐおよびｑは上記で定義されたものを表し、
Ｒ18およびＲ20は互いに独立して水素原子または炭素原子数１ないし６のアルキル基を表すか、または一緒になって次式−ＣＨ2ＣＨ2ＣＨ2ＣＨ2ＣＨ2−で表される基を表し、
ｒは２ないし１０の範囲の整数を表し、
Ｔ4は硫黄原子、次式
【化４５】
1998219263.tif 000045
で表される基を表し、
Ｒ7およびＲ8は上記で定義されたものを表し、
Ｒ26は水素原子、炭素原子数１ないし１０のアルキル基、フェニル基、炭素原子数５ないし８のシクロアルキル基または次式
【化４６】
1998219263.tif 000046
で表される基を表し、また
Ｒ2は上記で定義されたものを表す。）で表される基を表す、請求項１に記載の組成物。
【請求項４】
式Ｉで表される化合物において、
基Ｙは互いに独立してＯＨ、（ＨＯＣＨ2ＣＨ2）2Ｎ−または−ＨＮＲ1を表し、また
Ｒ1は水素原子、炭素原子数１ないし４のアルキル基または次式
【化４７】
1998219263.tif 000047
（式中、Ｒ2は水素原子、炭素原子数１ないし４のアルキル基、ＯＨ、アリル基、ベンジル基、アセチル基またはＨＯＣＨ2ＣＨ2−を表す。）で表される基を表し、また
ａは１、２、３、４または６の数を表し、ここで、
ＹがＯＨを表しかつａが１を表す場合、
Ｘは炭素原子数１ないし１８のアルキル基、炭素原子数３ないし１８のアルケニル基、次式
【化４８】
1998219263.tif 000048
（式中、Ｒ2は上記で定義されたものを表し、
Ｔ1は酸素原子を表し、
Ｒ4は炭素原子数１ないし４のアルキル基を表し、また
ｂは０ないし１０の範囲の整数を表す。）で表される基を表し、または、
ＹがＯＨを表しかつａが２を表す場合、
Ｘは次式
【化４９】
1998219263.tif 000049
（式中、ｂは上記で定義されたものを表し、
Ｔ2は酸素原子、硫黄原子または次式
【化５０】
1998219263.tif 000050
で表される基を表し、
Ｒ5は水素原子を表し、また
ｃは２ないし８の範囲の整数を表す。）で表される基を表し、または、
ａが３を表す場合、
Ｘは次式
【化５１】
1998219263.tif 000051
で表される基を表し、または、
ＹがＯＨを表しかつａが４を表す場合、
Ｘは次式
【化５２】
1998219263.tif 000052
で表される基を表し、または、
ＹがＯＨを表しかつａが６を表す場合、
Ｘは次式
【化５３】
1998219263.tif 000053
で表される基を表し、または、
Ｙが−ＨＮＲ1を表しかつａが１を表す場合、
Ｘは炭素原子数１ないし１０のアルキル基、炭素原子数３ないし１８のアルケニル基、炭素原子数５ないし７のシクロアルキル基または次式
【化５４】
1998219263.tif 000054
（式中、Ｒ2は上記で定義されたものを表す。）で表される基を表し、または、
Ｙが−ＨＮＲ1を表しかつａが２を表す場合、
Ｘは次式−ＣfＨ2f−（式中、ｆは２ないし１０の範囲の整数を表す。）で表される基を表し、また、
式ＩＩで表される化合物において、
基Ｚは水素原子または次式
【化５５】
1998219263.tif 000055
（式中、ｈは２または３を表し、
ｉは０ないし４の範囲の整数を表し、また
Ｒ11は炭素原子数１ないし２０のアルキル基または炭素原子数８ないし２０のアルケニル基を表す。）で表される基を表し、また
ｋは１、２または３を表し、但し、式ＩＩで表される化合物は次式
【化５６】
1998219263.tif 000056
で表される基を含み、また、
式ＩＩＩで表される化合物において、
Ｒ12は炭素原子数１ないし６のアルキル基または炭素原子数５ないし７のシクロアルキル基を表し、
Ｒ15は水素原子、炭素原子数１ないし６のアルキル基または炭素原子数５ないし７のシクロアルキル基を表し、
ｓは１または２を表し、
Ｑは次式
【化５７】
1998219263.tif 000057
（式中、ｍは０ないし３の範囲の整数を表し、また
Ｒ16は炭素原子数１ないし４のアルキル基を表す。）で表される基を表し、また
ｎは１ないし６の範囲の整数を表し、ここで、
ｎが１を表す場合、
Ｒ17は水素原子、炭素原子数１ないし１８のアルキル基、炭素原子数５ないし７のシクロアルキル基、炭素原子数２ないし１８のアルケニル基、ヘキソースの一価基、ヘキシトールの一価基、次式
【化５８】
1998219263.tif 000058
（式中、Ｒ2は上記で定義されたものを表す。）で表される基を表すか、またはさらにＲ17は次式
【化５９】
1998219263.tif 000059
（式中、Ｒ19は水素原子、炭素原子数１ないし１８のアルキル基または炭素原子数５ないし７のシクロアルキル基を表し、
ｐは２ないし４の範囲の整数を表し、また
ｑは２ないし１０の範囲の整数を表す。）で表される基を表し、または、
ｎが２を表す場合、
Ｒ17はヘキソースの二価基、ヘキシトールの二価基、次式
【化６０】
1998219263.tif 000060
（式中、ｐおよびｑは上記で定義されたものを表し、
ｒは２ないし１０の範囲の整数を表し、
Ｔ4は硫黄原子または次式
【化６１】
1998219263.tif 000061
で表される基を表し、また
Ｒ26は水素原子、炭素原子数１ないし１０のアルキル基または炭素原子数５ないし８のシクロアルキル基を表す。）で表される基を表し、または、
ｎが３を表す場合、
Ｒ17はヘキソースの三価基、ヘキシトールの三価基、次式
【化６２】
1998219263.tif 000062
で表される基を表し、または、
ｎが４を表す場合、
Ｒ17はヘキソースの四価基、ヘキシトールの四価基、次式
【化６３】
1998219263.tif 000063
で表される基を表す、請求項１に記載の組成物。
【請求項５】
式Ｉで表される化合物において、
基Ｙは互いに独立してヒドロキシル基または−ＮＨ2を表し、また
ａは１ないし４の範囲の整数を表し、ここで、
ａが１を表す場合、
Ｘは次式
【化６４】
1998219263.tif 000064
（式中、Ｒ2は水素原子、メチル基またはＨＯＣＨ2ＣＨ2−を表す。）で表される基を表し、または、
ＹがＯＨを表しかつａが２を表す場合、
Ｘは次式
【化６５】
1998219263.tif 000065
（式中、Ｔ2は酸素原子、硫黄原子または次式
【化６６】
1998219263.tif 000066
で表される基を表し、
Ｒ5は水素原子を表し、
ｂは０または１の数を表し、また
ｃは２、３または４の数を表す。）で表される基を表し、または、
ＹがＯＨを表しかつａが３を表す場合、
Ｘは次式
【化６７】
1998219263.tif 000067
で表される基を表し、または、
ＹがＯＨを表しかつａが４を表す場合、
Ｘは次式
【化６８】
1998219263.tif 000068
で表される基を表し、また、
式ＩＩで表される化合物において、
基Ｚは水素原子または次式
【化６９】
1998219263.tif 000069
（式中、Ｒ11は炭素原子数１ないし２０のアルキル基または炭素原子数８ないし２０のアルケニル基を表す。）で表される基を表し、また
ｋは１の数を表し、但し、式ＩＩで表される化合物は次式
【化７０】
1998219263.tif 000070
で表される基を含み、また、
式ＩＩＩで表される化合物において、
Ｒ12は第三ブチル基を表し、
Ｒ15は炭素原子数１ないし４のアルキル基を表し、そしてＯＨ基に関してオルト位に結合され、
ｓは１の数を表し、
Ｑは次式−ＣmＨ2m−（式中、ｍは２の数を表す。）で表される基を表し、そしてＯＨ基に関してパラ位に結合され、
ｎは１を表し、また
Ｒ17は炭素原子数１ないし４のアルキル基を表す、請求項１に記載の組成物。